(57)【要約】【課題】より良いサービスを提供できるベッド装置及びベッドシステムを提供する。【解決手段】実施形態によれば、ベッド装置は、ベッドと、前記ベッドに取り付けられた生体情報取得部と、を含む。前記生体情報取得部は、複数のケーブルが接続可能な入力部を含む。前記複数のケーブルは、前記ベッドの使用者の複数の生体情報を検出する複数のセンサにそれぞれ接続される。【選択図】図１
2019180985.tif 000002
【特許請求の範囲】
【請求項１】
ベッドと、
前記ベッドに取り付けられた生体情報取得部と、
を備え、
前記生体情報取得部は、複数のケーブルが接続可能な入力部を含み、
前記複数のケーブルは、前記ベッドの使用者の複数の生体情報を検出する複数のセンサにそれぞれ接続された、ベッド装置。
【請求項２】
前記複数の生体情報は、前記使用者の、体温、経皮血中ガス、動脈血酸素飽和度、心電、観血血圧、非観血血圧、心拍出量、呼気中酸素濃度、呼気中二酸化炭素分圧、脳波、ＢＩＳ、Ｔｈ−ＲＥＳＰ、呼吸数及び心拍数の少なくとも２つを含む、請求項１記載のベッド装置。
【請求項３】
前記ベッドはキャスタを含み、
前記ベッドが移動するときに、前記生体情報取得部は前記ベッドの移動とともに移動する、請求項１または２に記載のベッド装置。
【請求項４】
前記ベッドに取り付けられたベッド付属表示部をさらに備え、
前記生体情報取得部は、前記複数のセンサから得られた前記複数の生体情報に基づく第１信号を出力し、
前記ベッド付属表示部は、前記ベッドが移動しているときに、前記第１信号の少なくとも一部に基づく情報を表示可能である、請求項３記載のベッド装置。
【請求項５】
前記生体情報取得部は、生体情報表示部をさらに含み、
前記生体情報表示部は、前記複数のセンサから得られた前記複数の生体情報に基づく情報を表示可能である、請求項１〜４のいずれか１つに記載のベッド装置。
【請求項６】
前記生体情報取得部は、サーバと通信可能である、請求項１〜５のいずれか１つに記載のベッド装置。
【請求項７】
請求項１〜４のいずれか１つに記載のベッド装置と、
室内表示部と、
を備え、
前記生体情報取得部は、前記複数のセンサから得られた前記複数の生体情報に基づく第２信号を出力し、
前記室内表示部は、前記第２信号の少なくとも一部に基づく情報を表示可能である、ベッドシステム。
【請求項８】
前記複数のセンサの少なくとも１つを備えた、請求項７記載のベッドシステム。
【発明の詳細な説明】
【技術分野】
【０００１】
本発明の実施形態は、ベッド装置及びベッドシステムに関する。
【背景技術】
【０００２】
例えば、病院などにおいてベッドに寝ている患者（使用者）の生体情報が各種のセンサにより取得される。各種のセンサで得られた信号が複数のケーブルを介して生体情報モニタに供給される。患者に対する医療行為の差異などに複数のケーブルは、邪魔になりやすい。ベッドを移動させる際にも、複数のケーブルが邪魔になりやすい。より良いサービスを使用者に提供することが望まれる。
【先行技術文献】
【特許文献】
【０００３】
【特許文献１】特開２０１４−５０７０３号公報
【発明の概要】
【発明が解決しようとする課題】
【０００４】
本発明の実施形態は、より良いサービスを提供できるベッド装置及びベッドシステムを提供する。
【課題を解決するための手段】
【０００５】
実施形態によれば、ベッド装置は、ベッドと、前記ベッドに取り付けられた生体情報取得部と、を含む。前記生体情報取得部は、複数のケーブルが接続可能な入力部を含む。前記複数のケーブルは、前記ベッドの使用者の複数の生体情報を検出する複数のセンサにそれぞれ接続される。
【発明の効果】
【０００６】
本発明の実施形態は、より良いサービスを提供できるベッド装置及びベッドシステムを提供できる。
【図面の簡単な説明】
【０００７】
【図１】図１は、第１実施形態に係るベッド装置を例示する模式図である。
【図２】図２は、第１実施形態に係るベッド装置の一部を例示する模式図である。
【図３】図３は、第１実施形態に係るベッド装置を例示する模式図である。
【図４】図４は、第１実施形態に係るベッド装置を例示する模式図である。
【図５】図５は、第１実施形態に係る別のベッド装置を例示する模式図である。
【図６】図６（ａ）及び図６（ｂ）は、第１実施形態に係るベッド装置で用いられるセンサを例示する模式図である。
【図７】図７（ａ）〜図７（ｄ）は、第１実施形態に係るベッド装置で用いられるセンサを例示する模式図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１は、第１実施形態に係るベッド装置を例示する模式図である。  
図１に示すように、本実施形態に係るベッド装置３１０は、ベッド７０Ｂ及び生体情報取得部５０を含む。生体情報取得部５０は、ベッド装置３１０の使用者（例えば患者）の生体情報を取得する。生体情報取得部５０で取得された生体情報は、例えば、サーバ３７などを介して、ＥＭＲ３８（Electronic Medical Records）に提供されてもよい。ベッド装置３１０は、例えば、病院（各種の医療施設を含む）または介護施設などで用いられる。ベッド装置３１０は、家庭などで用いられても良い。例えば、ベッド装置３１０及びサーバ３７は、ベッドシステム４００に含まれる。
【００１０】
ベッド装置３１０は、例えば、集中治療室（ＩＣＵ：Intensive Care Unit）などで用いられても良い。この場合、集中治療室に、室内表示部３０Ｄ（例えば、集中治療室用ディスプレイ）が設けられても良い。室内表示部３０Ｄは、生体情報取得部５０で取得された生体情報の少なくとも一部を表示しても良い。
【００１１】
図１に示すように、ベッド７０Ｂにおいて、ベースフレーム７５Ｂの上に、ボトム７１が設けられる。ボトム７１の周りにサイドフレーム７５Ｆが設けられる。この例では、サイドフレーム７５Ｆの上方に、サイドレール７５ｓが設けられている。
【００１２】
ボトム７１の上に、マットレス７６が置かれる。マットレス７６の上に、使用者が横たわる。
【００１３】
ベッド７０Ｂにおいて、使用者の足側にフットボード７５ｆが設けられる。頭側にヘッドボードが設けられる。この例では、ベッド７０Ｂには、キャスタ７０ｇが設けられている。キャスタ７０ｇにおいて、例えば、固定状態と、移動状態と、が切り替えられる。移動状態においては、ベッド７０Ｂは移動可能である。固定状態においては、ストッパにより、キャスタ７０ｇの回転が抑制され、ベッド７０Ｂの位置が固定される。
【００１４】
ベッド７０Ｂの近傍には、ポール７５ｐが置かれても良い。ポール７５ｐが用いられて、ベッド７０Ｂの使用者への医療行為が行われても良い。
【００１５】
この例では、ベッド付属表示部７０Ｄが設けられている。ベッド付属表示部７０Ｄは、生体情報取得部５０で取得された生体情報の少なくとも一部を表示する。ベッド付属表示部７０Ｄは、ベッド７０Ｂに取り付けられている。この例では、ベッド付属表示部７０Ｄは、ヘッドボード７５ｈに設けられている。ベッド付属表示部７０Ｄは、ベッド７０Ｂに含まれる任意の場所（例えば、フットボード７５ｆまたはサイドレール７５ｓなど）に設けられても良い。
【００１６】
生体情報取得部５０は、ベッド７０Ｂに取り付けられている。この例では、生体情報取得部５０は、ベッド７０Ｂのフットボード７５ｆに取り付けられている。実施形態において、生体情報取得部５０は、ベッド７０Ｂに含まれる任意の場所（例えば、ヘッドボード７５ｈ、または、サイドレール７５ｓなど）に設けられても良い。
【００１７】
生体情報取得部５０は、複数のケーブルが接続可能な入力部５１を含む。複数のケーブル及び入力部５１の例については、後述する。
【００１８】
この例では、ホルダ５５がベッド７０Ｂに取り付けられている。ホルダ５５は、生体情報取得部５０の少なくとも一部（少なくとも入力部５１）を保持する。ホルダ５５は、例えば、クレードルでも良い。ホルダ５５は、例えば、生体情報取得部５０に電源電流などを供給しても良い。ホルダ５５は、生体情報取得部５０のインタフェースとして機能しても良い。ホルダ５５は、生体情報取得部５０に含められても良い。
【００１９】
この例では、生体情報取得部５０は、上記の入力部５１に加えて、生体情報表示部５０Ｄをさらに含む。生体情報表示部５０Ｄは、生体情報取得部５０で取得された生体情報の少なくとも一部を表示する。
【００２０】
以下、生体情報取得部５０の例について説明する。
【００２１】
図２は、第１実施形態に係るベッド装置の一部を例示する模式図である。  
図２は、生体情報取得部５０を例示している。図２に示すように、生体情報取得部５０は、入力部５１を含む。例えば、入力部５１は、第１〜第８入力端子５１ａ〜５１ｈを含む。これらの入力端子には、後述するケーブルがそれぞれ接続される。
【００２２】
第１〜第８入力端子５１ａ〜５１ｇに接続される複数のケーブルのそれぞれは、複数の生体情報の少なくとも１つを含む。複数の生体情報は、ベッド７０Ｂの使用者の、体温、経皮血中ガス、動脈血酸素飽和度、心電、観血血圧、非観血血圧、心拍出量、呼気中酸素濃度、呼気中二酸化炭素分圧、脳波、ＢＩＳ、Ｔｈ−ＲＥＳＰ、呼吸数及び心拍数の少なくとも２つを含む。
【００２３】
例えば、第１〜第３入力端子５１ａ〜５１ｃの１つは、観血血圧、呼気中二酸化炭素分圧、ＢＩＳ、心拍出量及び呼気中酸素濃度の１つの検出結果が入力される。第４入力端子５１ｄには、例えば、非観血血圧の検出結果が入力される。第５入力端子５１ｅには、例えば、体温の検出結果が入力される。第６入力端子５１ｆには、例えば、経皮血中ガスの検出結果が入力される。第７入力端子５１ｇには、例えば、経皮血中ガスの検出結果が入力される。第８入力端子５１ｈには、例えば、呼吸数の検出結果が入力される。
【００２４】
これらの検出結果の入力は、以下に説明する複数のケーブルにより行われる。  
図３は、第１実施形態に係るベッド装置を例示する模式図である。  
図３に示すように、ベッド装置３１０に、ベッド７０Ｂ及び生体情報取得部５０が設けられる。ベッド７０Ｂのボトム７１の上（図示しないマットレス７６の上）にベッド７０Ｂの使用者８１（例えば患者など）が横たわる。図３では、各種の装置の接続関係を例示しているため、使用者８１と他の装置とのサイズの関係は、実際の関係とは異なる。
【００２５】
複数のセンサ４０（例えば、第１〜第５センサ素子４０ａ〜４０ｅなど）が設けられる。複数のセンサ４０の数は、任意である。複数のセンサ４０のそれぞれは、例えば、使用者８１の複数の生体情報の１つを検出する。例えば、複数のセンサ４０の１つで、複数の生体情報の２つ以上を検出しても良い。第１センサ素子４０ａは、例えば、体温を検出する。第２センサ素子４０ｂは、例えば、経皮血中ガスを検出する。第３センサ素子４０ｃは、例えば、動脈血酸素飽和度を検出する。第４センサ素子４０ｄは、例えば、脳波を検出する。第５センサ素子４０ｅは、例えば、呼吸数を検出する。
【００２６】
これらの複数のセンサ４０と、生体情報取得部５０の入力部５１と、は、複数のケーブル４５（例えば、第１〜第５ケーブル４５ａ〜４５ｅなど）で接続される。例えば、第１ケーブル４５ａは、第１入力端子５１ａ（図２参照）と、第１センサ素子４０ａと、を接続する。例えば、第２ケーブル４５ｂは、第２入力端子５１ｂ（図２参照）と、第２センサ素子４０ｂと、を接続する。例えば、第３ケーブル４５ｃは、第３入力端子５１ｃ（図２参照）と、第３センサ素子４０ｃと、を接続する。例えば、第４ケーブル４５ｄは、第４入力端子５１ｄ（図２参照）と、第４センサ素子４０ｄと、を接続する。例えば、第５ケーブル４５ｅは、第５入力端子５１ｅ（図２参照）と、第５センサ素子４０ｅと、を接続する。
【００２７】
このように、実施形態においては、生体情報取得部５０は、入力部５１を含む。入力部５１には、複数のケーブル４５が接続可能である。複数のケーブル４５は、複数のセンサ４０にそれぞれ接続される。複数のセンサ４０は、ベッド７０Ｂの使用者８１の生体情報を検出する。生体情報取得部５０は、取得した生体情報を、外部機器にケーブル３０Ｃなどを用いて、まとめて出力できる。外部機器への出力は、例えば無線により行われても良い。
【００２８】
実施形態においては、複数のセンサ４０にそれぞれ接続された複数のケーブル４５は、ベッド７０Ｂに取り付けられた生体情報取得部５０に接続される。これにより、ベッド７０Ｂの位置が変化したときも、ベッド７０Ｂと、複数のケーブル４５と、の相対的な位置関係は、実質的に変化しない。これにより、ベッド７０Ｂの周囲において、複数のケーブル４５が邪魔になることが抑制できる。例えば、ギャッチアップなどが行われても、使用者８１と生体情報取得部５０との間の相対的な位置関係が、実質的に変化しない。例えば、複数のケーブル４５が絡み合うことが抑制できる。医療行為をより安定して実施し易くなる。
【００２９】
例えば、使用者８１の生体情報を取得する生体情報取得部が、ベッド７０Ｂとは別に設けられる参考例がある。例えば、参考例の生体情報取得部は、ベッド７０Ｂとは離れて設けられる。一方、ベッド７０Ｂの使用者８１の近くに、複数の複数のセンサ４０が設けられる。そして、生体情報取得部の入力部５１と、複数のセンサ４０と、が、複数のケーブル４５で接続される。この参考例においては、この複数のケーブル４５が、ベッド７０Ｂの中の複数のセンサ４０と、ベッド７０Ｂの外の生体情報取得部と、を接続する。このため、ベッド７０Ｂの位置が変化したときに、ベッド７０Ｂと、複数のケーブル４５と、の相対的な位置関係は、変化する。複数のケーブル４５が邪魔になり、ベッド７０Ｂを安全に移動させることが、困難になる場合がある。複数のケーブル４５が絡みやすい。例えば、安全を確保するためのチェックが煩雑になる場合もある。例えば、ベッド７０Ｂの周りの任意の場所から使用者８１に処置を施す場合において、複数のケーブル４５が邪魔になり易い。
【００３０】
これに対して、実施形態によれば、複数のケーブル４５が邪魔になることが抑制できる。これにより、より良いサービスを提供できるベッド装置及びベッドシステムを提供できる。
【００３１】
実施形態において、既に説明したように、生体情報取得部５０に生体情報表示部５０Ｄ（図２参照）が設けられ、生体情報表示部５０Ｄは、複数のセンサ４０から得られた複数の生体情報に基づく情報を表示しても良い。
【００３２】
さらに、図３に示すように、ベッド付属表示部７０Ｄが設けられても良い。生体情報取得部５０は、複数のセンサ４０から得られた複数の生体情報に基づく第１信号Ｓ１を出力する(図３）。ベッド付属表示部７０Ｄは、第１信号Ｓ１の少なくとも一部に基づく情報を表示しても良い。
【００３３】
この他、図３に示すように、室内表示部３０Ｄが設けられても良い。生体情報取得部５０は、複数のセンサ４０から得られた複数の生体情報に基づく第２信号Ｓ２を出力する。第２信号Ｓ２は、第１信号Ｓ１と同じでも良い。室内表示部３０Ｄは、第２信号Ｓ２の少なくとも一部に基づく情報を表示しても良い。複数の室内表示部（室内表示部３０Ｄ及び室内表示部３０Ｄａなど）が設けられても良い。
【００３４】
実施形態において、生体情報取得部５０は、サーバ３７と通信可能である。生体情報取得部５０で取得された生体情報は、サーバ３７に供給される。生体情報は、サーバ３７と接続されたＥＭＲ３８に供給可能である。生体情報は、サーバ３７と接続された任意のディスプレイ３７Ｍに表示可能である。
【００３５】
図３は、ベッド７０Ｂが固定された第１状態ＳＴ１を例示している。以下、ベッド７０Ｂが移動中の第２状態ＳＴ２の例を説明する。
【００３６】
図４は、第１実施形態に係るベッド装置を例示する模式図である。  
図４は、第２状態ＳＴ２の例を示している。第２状態ＳＴ２において、生体情報取得部５０は、外部機器（例えば、室内表示部３０Ｄなど）に接続されたケーブル３０Ｃから切り離される。第２状態ＳＴ２においても、生体情報取得部５０は、複数のセンサ４０から得られた複数の生体情報に基づく第１信号Ｓ１を出力する。ベッド付属表示部７０Ｄは、ベッド７０Ｂが移動しているときに、第１信号の少なくとも一部に基づく情報を表示可能である。
【００３７】
実施形態においては、生体情報取得部５０をケーブル３０Ｃから切り離すことで、ベッド７０Ｂを容易に移動できる。ベッド７０Ｂの移動中は、例えば、ベッド付属表示部７０Ｄにより、生体情報を表示できる。ベッド７０Ｂの移動中に、生体情報表示部５０Ｄにより、生体情報を表示しても良い。
【００３８】
図５は、第１実施形態に係る別のベッド装置を例示する模式図である。  
図５に示すように、ベッド装置３２０においては、ボトム７１が複数の部分を含み、複数の部分の互いの角度が変更可能である。
【００３９】
ボトム７１は、例えば、背ボトム７０ａ（back section）、膝ボトム７０ｂ(upper leg section)、及び、脚ボトム７０ｃ(lower leg section)などを含む。ボトム７１に含まれる複数の部分（背ボトム７０ａ、膝ボトム７０ｂ及び脚ボトム７０ｃ）において、互いの角度が変更可能である。
【００４０】
例えば、背ボトム７０ａの動作により、使用者の背の角度が変更可能である。膝ボトム７０ｂと脚ボトム７０ｃとの間の角度の変更により、膝の角度が変更可能である。これらの角度は、連動して変化しても良い。これらの角度は、ベッドのフレームを基準にしたときの角度である。例えば、フレームは、床面に対して実質的に平行に設定される。上記のボトム７１の角度は、床面を基準にした角度でも良い。
【００４１】
ベッド７０Ｂは、高さ変更部７０ｄを含んでも良い。高さ変更部７０ｄは、例えば、ベッド昇降機である。高さ変更部７０ｄは、例えば、床面とベッド面との間の距離（高さ）を変更可能である。高さ変更部７０ｄは、ベッドの頭側の高さと、ベッドの足側の高さと、を独立して変更できても良い。これにより、ベッド面の全体の傾斜が変更できる。
【００４２】
ボトム７１及び高さ変更部７０ｄの動作には、例えばアクチュエータなどが用いられる。アクチュエータの動作により、「背上げ」、「膝上げ」、「高さ調整」及び「傾斜」などの少なくともいずれかが可能である。「傾斜」は、ローリング及びチルトの少なくともいずれかを含む。
【００４３】
ボトム７１及び高さ変更部７０ｄに用いられるアクチュエータが、生体情報の少なくとも一部を取得しても良い。例えば、アクチュエータに荷重センサ（例えばロードセルなど）の機能が設けられる。荷重センサにより、例えば、心拍数及び呼吸数の少なくともいずれかが検出されても良い。
【００４４】
以下、複数のセンサ４０のいくつかの例について説明する。  
図６（ａ）及び図６（ｂ）は、第１実施形態に係るベッド装置で用いられるセンサを例示する模式図である。  
図６（ａ）は、センサ６２、及び、センサ６２の配置を例示する模式的斜視図である。図６（ｂ）は、センサ６２を例示する模式的平面図である。図６（ａ）においては、図を見やすくするために、構成要素が互いに離されて描かれている。
【００４５】
図６（ａ）に示すように、ベッド７０Ｂにおいて、ボトム７１が設けられる。ボトム７１の上に、マットレス７６が設けられる。マットレス７６の上に、使用者８１が横たわる。センサ６２（検出部６０）は、ボトム７１とマットレス７６との間に設けられる。この例では、センサ６２は、シート状またはプレート状である。
【００４６】
図６（ｂ）に示すように、センサ６２は、回路部６２ａ及びセンサ部６２ｂを含む。回路部６２ａは、通信部６２ｃを含む。通信部６２ｃは、ベッド７０Ｂに設けられる制御部とデータの送受信を行う。送受信は、有線及び無線の少なくともいずれかを含む任意の方法により行われる。
【００４７】
センサ部６２ｂは、例えば、センサ装置６２ｄを含む。センサ部６２ｂ（またはセンサ装置６２ｄ）は、センサ部６２ｂ（またはセンサ装置６２ｄ）が受ける力（または力に対応した特性）を検出する。力は、例えば、圧力及び音波の少なくともいずれかを含む。センサ部６２ｂは、例えば、圧力センサを含む。センサ部６２ｂは、例えば、マイクロフォンを含む。
【００４８】
センサ部６２ｂに、マットレス７６を介して、使用者８１による力（圧力及び音波の少なくともいずれか）が加わる。例えば、センサ部６２ｂで検出された力に基づく信号が、回路部６２ａから出力される。出力された信号が制御部に供給される。制御部において、信号（力）の大きさ及び信号（力）の大きさの時間的な変化の少なくともいずれかに基づいて、使用者８１の状態（離床、睡眠、または覚醒など）が推定される。または、回路部６２ａにおいて、センサ部６２ｂで検出された力及び力の時間的な変化の少なくともいずれかに基づいて、使用者８１の状態（離床、睡眠、または覚醒など）が推定されても良い。使用者８１の状態は、起き上がり、離床準備状態（例えば端座位）、離床、入眠、睡眠、または覚醒を含んでも良い。
【００４９】
さらに、制御部または回路部６２ａの少なくともいずれかにおいて、信号（力）の大きさ及び信号（力）の大きさの時間的な変化の少なくともいずれかに基づいて、使用者の生体信号が検出される。生体信号は、使用者の呼吸数及び心拍数の少なくともいずれかを含む。生体信号に基づいて、睡眠の状態が推定されても良い。生体信号に基づいて、寝ているときの使用者の姿勢が推定されても良い。
【００５０】
例えば、使用者８１の状態に応じた振動が、センサ部６２ｂに加わる。振動は、例えば、使用者８１の体動に応じている。振動がセンサ部６２ｂにおいて検出される。振動は、音を含んでも良い。
【００５１】
図７（ａ）〜図７（ｄ）は、第１実施形態に係るベッド装置で用いられるセンサを例示する模式図である。  
図７（ａ）は、センサ６２の例の断面図である。図７（ｂ）は、センサ６２の例の平面図である。図７（ｃ）は、センサ６２の配置を例示する斜視図である。図７（ｄ）は、センサ６２の配置を例示する側面図である。
【００５２】
図７（ａ）に示すように、この例においては、センサ６２は、第１板体６２ｐと、第２板体６２ｑと、を含む。第２板体６２ｑは、第１板体６２ｐと対向する。これらの板体は、シート状でも良い。
【００５３】
第２板体６２ｑは、支持突起６２ｓを含む。支持突起６２ｓは、第１板体６２ｐの外縁部に対向する。第１板体６２ｐは、外縁部の内側の内側部を含む。内側部と、第２板体６２ｑと、の間に、空気収容体６２ｒが設けられる。この例では、第２板体６２ｑに溝６２ｔが設けられている。溝６２ｔにより形成される空間（分けられる空間）に空気収容体６２ｒが設けられる。空気収容体６２ｒには、信号線６２ｕの一端が接続される。信号線６２ｕの他端は、検出回路６２ｖ（検出装置）に接続される。
【００５４】
図７（ｂ）に示すように、支持突起６２ｓは、第１板体６２ｐの外縁の一部と対向する。この例では、支持突起６２ｓは、第１板体６２ｐの、４つのコーナー部に設けられている。センサ６２は、シート状、または、板状である。
【００５５】
図７（ｃ）に示すように、ボトム７１の上に、上記のセンサ６２が置かれる。図７（ｄ）に示すように、ボトム７１の上に、センサ６２が置かれ、その上に、マットレス７６が置かれる。マットレス７６の上に、使用者８１が横たわる。
【００５６】
例えば、使用者８１の体の動きに応じた力が空気収容体６２ｒに加わる。この力は、例えば、振動を含む。空気収容体６２ｒに加わる力（または力に対応した特性）が検出回路６２ｖにより検出される。例えば、空気収容体６２ｒに、圧力検出器が設けられ、圧力検出器により得られた信号（検出結果）が、検出回路６２ｖに供給される。例えば、空気収容体６２ｒに、マイクロフォンが設けられ、マイクロフォンにより得られた信号（検出結果）が、検出回路６２ｖに供給される。例えば、検出回路６２ｖの出力（信号）に基づいて使用者８１の状態（生体情報）が検出できる。
【００５７】
センサ６２は、例えば、生体情報収集装置である。センサ６２において、第１板体６２ｐは、例えば、使用者８１の身体側に配置される。第２板体６２ｑは、例えば、支持側に設けられる。第１板体６２ｐと第２板体６２ｑとの中央部間に、空気圧検出用の変形可能な空気収容体６２ｒが設けられる。第２板体６２ｑの中央部には、空気収容体６２ｒを装着する溝６２ｔが設けられる。支持突起６２ｓは、第２板体６２ｑから第１板体６２ｐに向かう方向に、突出する。支持突起６２ｓは、第１板体６２ｐの周囲の四隅を支持する。支持突起６２ｓは、例えば、第１板体６２ｐを水平な状態（正常状態）に常時支持する。
【００５８】
実施形態において、センサ６２は、種々の変形が可能である。
【００５９】
（第２実施形態）  
本実施形態は、ベッドシステム４００（図１参照）に係る。ベッドシステム４００は、第１実施形態に関して説明したベッド装置（ベッド装置３１０または３２０など）を含む。ベッドシステム４００は、第１実施形態に関して説明したベッド装置の変形を含んでも良い。ベッドシステム４００は、室内表示部３０Ｄ（例えば、集中治療室用ディスプレイ）をさらに含んでも良い（図３参照）。
【００６０】
図３に関して説明したように、生体情報取得部５０は、複数のセンサ４０から得られた複数の生体情報に基づく第２信号Ｓ２を出力する。室内表示部３０Ｄは、第２信号Ｓ２の少なくとも一部に基づく情報を表示可能である。ベッドシステム４００は、複数のセンサ４０の少なくとも１つを含んでも良い。
【００６１】
実施形態によれば、より良いサービスを提供できるベッド装置及びベッドシステムが提供できる。
【００６２】
以上、具体例を参照しつつ、本発明の実施の形態について説明した。しかし、本発明は、これらの具体例に限定されるものではない。例えば、ベッド装置に含まれるベッド及び生体情報取得部などの各要素の具体的な構成に関しては、当業者が公知の範囲から適宜選択することにより本発明を同様に実施し、同様の効果を得ることができる限り、本発明の範囲に包含される。
【００６３】
各具体例のいずれか２つ以上の要素を技術的に可能な範囲で組み合わせたものも、本発明の要旨を包含する限り本発明の範囲に含まれる。
【００６４】
その他、本発明の実施形態として上述したベッド装置及びベッドシステムを基にして、当業者が適宜設計変更して実施し得る全てのベッド装置及びベッドシステムも、本発明の要旨を包含する限り、本発明の範囲に属する。
【００６５】
その他、本発明の思想の範疇において、当業者であれば、各種の変更例及び修正例に想到し得るものであり、それら変更例及び修正例についても本発明の範囲に属するものと了解される。
【符号の説明】
【００６６】
３０Ｃ…ケーブル、  ３０Ｄ、３０Ｄａ…室内表示部、  ３７…サーバ、  ３７Ｍ…室内表示部、  ３８…ＥＭＲ、  ４０……センサ、  ４０ａ〜４０ｅ…第１〜第５センサ素子、  ４５…ケーブル、  ４５ａ〜４５ｅ…第１〜第５ケーブル、  ５０…生体情報取得部、  ５０Ｄ…生体情報表示部、  ５１…入力部、  ５１ａ〜５１ｈ…第１〜第８入力端子、  ５５…ホルダ、  ６０…検出部、  ６２…センサ、  ６２ａ…回路部、  ６２ｂ…センサ部、  ６２ｃ…通信部、  ６２ｄ…センサ装置、  ６２ｐ…第１板体、  ６２ｑ…第２板体、  ６２ｒ…空気収容体、  ６２ｓ…支持突起、  ６２ｔ…溝、  ６２ｕ…信号線、  ６２ｖ…検出回路、  ７０Ｂ…ベッド、  ７０Ｄ…ベッド付属表示部、  ７０ａ…背ボトム、  ７０ｂ…膝ボトム、  ７０ｃ…脚ボトム、  ７０ｄ…高さ変更部、  ７０ｇ…キャスタ、  ７１…ボトム、  ７５Ｂ…ベースフレーム、  ７５Ｆ…サイドフレーム、  ７５ｆ…フットボード、  ７５ｈ…ヘッドボード、  ７５ｐ…ポール、  ７５ｓ…サイドレール、  ７６…マットレス、  ８１…使用者、  ３１０…ベッド装置、  ４００…ベッドシステム、  Ｓ１、Ｓ２…第１、第２信号、  ＳＴ１、ＳＴ２…第１、第２状態
【図１】
2019180985.tif 000003
【図２】
2019180985.tif 000004
【図３】
2019180985.tif 000005
【図４】
2019180985.tif 000006
【図５】
2019180985.tif 000007
【図６】
2019180985.tif 000008
【図７】
2019180985.tif 000009